【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
バイオポリマー、およびオレフィンコポリマーを含む、またはこれらのポリマーから生成される組成物であり、
前記バイオポリマーが、ヒドロキシアルキル変性デンプンを含み、組成物の全乾燥重量に基づき、約８５％以上の濃度で組成物中に存在し；
前記オレフィンコポリマーが、オレフィン、およびモノマーの共重合によって製造され；
該オレフィンには、エチレン、プロピレン、ブチレン、またはこれらの２つ以上の組合せが含まれ；
該モノマーには、無水マレイン酸、マレイン酸、マレイン酸塩、マレイン酸ジエステル、マレイン酸モノエステル、イタコン酸、フマル酸、フマル酸モノエステル、またはこれらの２つ以上の組合せが含まれる；
前記組成物。
【請求項２】
さらに、エチレンコポリマー、ポリビニルブチラールコポリマー、またはこれらの組合せ（該エチレンコポリマーには、エチレンアルキル（メタ）アクリラートコポリマー、エチレンビニルアセタートコポリマー、エチレンと酸のコポリマーまたはそのイオノマーが含まれる）、ポリ（ビニルアルコール）、ポリ（ヒドロキシアルカン酸）、ポリエステル、ポリアミド、ポリウレタン、ポリオレフィン、ポリカプロラクトン、コポリエーテルエステル、ポリアルキレンオキシド、またはこれらの２つ以上の組合せから選択される追加のポリマーを含む、またはこれらのポリマーから生成される、請求項１に記載の組成物。
【請求項３】
前記オレフィンコポリマーが、
前記オレフィン、前記モノマー、および
（メタ）アクリル酸、（メタ）アクリル酸塩、（メタ）アクリル酸のＣ１〜Ｃ８エステル、一酸化炭素、二酸化硫黄、アクリロニトリル、グリシジルアクリラート、グリシジルメタクリラート、およびグリシジルビニルエーテル、またはこれらの２つ以上の組合せから選択されるコモノマー、
の共重合によって製造される、請求項１または２に記載の組成物。
【請求項４】
前記オレフィンがエチレンであり、前記モノマーが無水マレイン酸またはマレイン酸モノエステルである、請求項１〜３のいずれか１項に記載の組成物。
【請求項５】
前記バイオポリマーが、デンプンの重量に対して少なくとも６５％のアミロースに由来する繰返し単位を含むヒドロキシプロピル変性デンプンであり；前記バイオポリマーが前記組成物中に約８５から約９５％存在する、請求項１〜４のいずれか１項に記載の組成物。
【請求項６】
前記バイオポリマーが、デンプンの重量に対して少なくとも７０％のアミロースに由来する繰返し単位を含み；前記バイオポリマーが前記組成物中に約８８から約９２％存在し；前記オレフィンコポリマーが、このコポリマーの重量に基づき、約３．０％以上の前記モノマーに由来する繰返し単位を含み；前記オレフィンがエチレンであり；前記モノマーが無水マレイン酸またはマレイン酸モノエステルである；請求項１〜５のいずれか１項に記載の組成物。
【請求項７】
前記モノマーには、マレイン酸モノメチル、マレイン酸モノエチル、マレイン酸モノプロピル、マレイン酸モノブチル、またはこれらの２つ以上の組合せが含まれる、請求項１〜６のいずれか１項に記載の組成物。
【請求項８】
前記追加のポリマーが、エチレンと、アルキル（メタ）アクリラート、（メタ）アクリル酸、グリシジルアクリラート、グリシジルメタクリラート、またはこれらの２つ以上の組合せとに由来する繰返し単位を含むエチレンコポリマーである、請求項２〜７のいずれか１項に記載の組成物。
【請求項９】
前記オレフィンコポリマーが、無水マレイン酸グラフトコポリマー以外のオレフィンコポリマーである、請求項１〜８のいずれか１項に記載の組成物。
【請求項１０】
請求項１〜９のいずれか１項に記載の組成物を含む、または当該組成物から製造される物品であって、該物品には、フィルム、多層フィルムまたはシート、あるいはこれらの組合せが含まれる、前記物品。
【請求項１１】
前記組成物が１種または複数の生分解性ポリマーをさらに含む、請求項１０に記載の物品。
【請求項１２】
前記バイオポリマーが、デンプンの重量に対して少なくとも７０％のアミロースに由来する繰返し単位を含み；前記バイオポリマーが前記組成物中に約８８から約９２％存在し；前記オレフィンコポリマーが、このコポリマーの重量に基づき、約３．０％以上の前記モノマーに由来する繰返し単位を含み；前記オレフィンがエチレンであり；前記モノマーが無水マレイン酸またはマレイン酸モノエステルである、請求項１０または１１に記載の物品。
【請求項１３】
請求項１０〜１２のいずれか１項に記載の物品であって、
前記物品が、前記組成物の層、および１つまたは複数の層を含む多層フィルムまたはシートであり、この１つまたは複数の層は、ポリ（ビニルアルコール）、ポリ（ヒドロキシアルカン酸）、ポリエステル、ポリアミド、ポリウレタン、ポリオレフィン、ポリカプロラクトン、コポリエーテルエステル、ポリアルキレンオキシド、ポリ塩化ビニル、紙、板紙、金属フィルム、またはこれらの２つ以上の組合せを含む１種または複数のポリマーから製造される、前記物品。
【請求項１４】
請求項１０〜１３のいずれか１項に記載の物品であって、
前記多層フィルムには、ポリオレフィン／エチレンアルキルアクリラートコポリマー／前記組成物／エチレンアルキルアクリラートコポリマー／ポリオレフィン、ポリオレフィン／エチレンアルキルアクリラートコポリマー／前記組成物／エチレンアルキルアクリラートコポリマー／ポリエステル、ポリエステル／エチレンアルキルアクリラートコポリマー／前記組成物／エチレンアルキルアクリラートコポリマー／ポリエステル、ポリオレフィン／エチレンアルキルアクリラートコポリマー／前記組成物／エチレンアルキルアクリラートコポリマー、またはポリエステル／エチレンアルキルアクリラートコポリマー／前記組成物、またはこれらの２つ以上の組合せが含まれ、各ポリマーまたは組成物は、そのポリマーまたは組成物に由来する層を表し、
前記組成物は、１種または複数の生分解性ポリマーをさらに含む；
前記物品。
【請求項１５】
請求項１４に記載の物品であって、
前記エチレンアルキルアクリラートコポリマーには、エチレンブチルアクリラートグリシジルメタアクリラートコポリマー、エチレンブチルアクリラート一酸化炭素コポリマー、エチレンビニルアセタート一酸化炭素コポリマー、またはこれらの２つ以上の組合せが含まれる、前記物品。
【請求項１６】
ゴミ袋、医療用洗濯袋、洗濯洗剤パウチ、化学製品の袋、トレイ、コップ、ボウル、または、ふた付き材料に転換される、請求項１０〜１５のいずれか１項に記載の物品。
【請求項１７】
請求項１〜９のいずれか１項に記載の前記バイオポリマー、および前記オレフィンコポリマー、または請求項２〜９のいずれか１項に記載の前記バイオポリマー、前記オレフィンコポリマー、および前記追加のポリマーを混合して、混合物を生成すること；この混合物に水を導入し、別の混合物を生成すること；および当該混合物または当該別の混合物を高温で押し出すことを含む方法であって、
前記水の導入が、押し出す工程の前に、またはその工程と実質的に同時に実施され；導入される前記水が、前記別の混合物の少なくとも２０重量％である、
前記方法。
【請求項１８】
前記混合物を生成するために、さらに添加剤を混合することを含む、請求項１７に記載の方法。